(57)【特許請求の範囲】
【請求項１】
基材フィルム上に、少なくとも電極層と、画像表示層とが設けられ、周辺端部に電極部を有する薄く可撓性を有する情報表示媒体であって、ウエブ状の基材フィルム上に、電極層が形成され、該電極層の周辺端部の電極部に相当する部分に易剥離層が形成され、該易剥離層を含めた全面に画像表示層が形成され、該画像表示層上に接着剤層を介してカバーフィルムが積層されていて、前記基材フィルム側から、前記周辺端部の電極部を含めた個別製品に分離すべき形状に全周にわたってハーフカットが接着剤層まで刻設されていることを特徴とする薄く可撓性を有する情報表示媒体。
【請求項２】
前記易剥離層は、導電性を有する剥離剤で形成されていることを特徴とする請求項１記載の薄く可撓性を有する情報表示媒体。
【請求項３】
前記易剥離層と画像表示層との密着強度は、接着剤層とカバーフィルムとの密着強度より小さいことを特徴とする請求項１または２記載の薄く可撓性を有する情報表示媒体。
【請求項４】
基材フィルム上に、少なくとも電極層と、画像表示層とを設け、周辺端部に電極部を付設してなる薄く可撓性を有する情報表示媒体の製造方法であって、走行するウエブ状の基材フィルム上に、電極層を形成し、該電極層の周辺端部の電極部に相当する部分に易剥離層を形成し、さらに該易剥離層を含めた全面に画像表示層を形成し、該画像表示層上に接着剤層を介してカバーフィルムを積層せしめ、前記基材フィルム側から、前記周辺端部の電極部を含めた個別製品に分離すべき形状に、全周にわたってハーフカットを接着剤層まで刻設することを特徴とする薄く可撓性を有する情報表示媒体の製造方法。
【請求項５】
前記易剥離層は、導電性を有する剥離剤で形成されてなることを特徴とする請求項４記載の薄く可撓性を有する情報表示媒体の製造方法。
【請求項６】
前記易剥離層と画像表示層との密着強度は、接着剤層とカバーフィルムとの密着強度より小さくすることを特徴とする請求項４または５記載の薄く可撓性を有する情報表示媒体の製造方法。
【請求項７】
前記個別の製品となる薄く可撓性を有する情報表示媒体は、ウエブ状の薄く可撓性を有する情報表示媒体の走行方向に、単列もしくは複数列に多面付けで形成することを特徴とする請求項４、５または６記載の薄く可撓性を有する情報表示媒体の製造方法。
【発明の詳細な説明】
【０００１】
【発明の属する技術分野】
本発明は、電車やバス等の中吊りや壁面、あるいは店舗、駅等掲示板に情報を表示せしめるための薄く可撓性を有する情報表示媒体およびその製造方法に関するものであり、特に連続するウエブ状の薄く可撓性を有する情報表示媒体に多面付けし個別の製品とする薄く可撓性を有する情報表示媒体とその製造方法に関する。
【０００２】
【従来の技術】
従来、電車やバス等の中吊りや駅構内の壁面に広告や展示会の催し等の各種の情報を印刷した紙媒体を吊り下げたり貼り付けたり、或いは液晶ディスプレイを用いて電子的に表示させたりしている。
【０００３】
しかしながら、上記の情報を印刷した紙媒体を用いた場合、この情報の切り換えには、これらを吊り下げたり剥がして新しい紙媒体に取り替える作業が人的に行われていて、人的な作業のため時間や労力が必要であり、これに要する費用とともに、更には、移動車両の場合、乗客がいない深夜や早朝の時間帯に作業をしなければならなかったり、また、期限が切れていてもそのまま放置されていたりするという問題がある。
【０００４】
また、上記液晶ディスプレイを用いて表示内容を電子的に行う方法では、例えばこれを設置するには、曲面の場所や吊り下げて設置することは出来なく、設置場所が限定されてしまったり、あるいは設置のための持ち運びに嵩張って困難という問題がある。
【０００５】
近年上記問題点を解消するものとして、例えば、特表平１１−５０２９５０号公報に提示されているように、基材フィルム上に、電極層と、色素材料と溶解物質が包含されているマイクロカプセルの画像表示層と、透明電極層が形成されている薄く可撓性を有する情報表示媒体を用いた複数のページディスプレイを有する電子ブックがある。
【０００６】
上記薄く可撓性を有する情報表示媒体の製造は、例えば図１２（ｂ）の側断面図に示すように、紙、プラスチックでなるウエブ状の基材（５）の上に、電極層（１１ａ）が形成され、その上にマイクロカプセルでなる画像表示層（１４）、透明電極層（１２ａ）、最表面に保護層（１７）が順に形成されているウエブ状の薄く可撓性を有する情報表示媒体（２）とする。
【０００７】
上記の様にして作製されたウエブ状の薄く可撓性を有する情報表示媒体（２）を用い、例えば上記と別ラインで図１２（ａ）の正面図に示すような電極部（７）を含めた形状に、全周にわたって図１２（ｂ）に示す保護層（１７）側からレーザーで連続して切断し、続いて別工程で電極部（７）の上にある不要部（保護層、透明電極層、画像表示層）をレーザーで除去し、露出された電極部（７）を連続的に形成して、個別の製品としていた。
【０００８】
しかしながら、上記レーザーによる全周の切断と電極部（７）の露出方法では、全周の切断と不要部を除去して電極部（７）の露出させるための加工に要する時間が多くなり、生産性が劣り、かつこの前工程である各層（電極層、画像表示層、透明電極層等）の形成との加工時間差が大きいので、別ラインで切断加工等を行なわざるを得なかった。さらにまた、上記不要部の除去に際し、エネルギー（レーザー）の制御、及び前工程である各層の形成での各層のバラツキの管理が困難で、電極層（１１ａ）を破損したりして不良品となるという問題があった。
【０００９】
また、全周の切断と電極部（７）を露出させる方法として、上記の様にして作製されたウエブ状の薄く可撓性を有する情報表示媒体（２）を用い、例えば上記と別ラインで図１２（ａ）の平面図に示すような電極部（７）を含めた形状に、全周にわたって保護層（１７）側からバイブレーションカット刃で連続して切断し、続いて別工程で電極部（７）の上にある不要部（保護層、透明電極層、画像表示層）をミーリングカット刃で除去し、露出された電極部（７）を連続的に形成して、個別の製品としていた。
【００１０】
しかしながら、上記バイブレーションカット刃による全周の切断とミーリングカット刃による電極部（７）の露出方法では、全周の切断と不要部を除去して電極部（７）の露出させるための加工に要する時間は、上記レーザーによる方法に比べると若干減少させることができるが、生産性が劣ることには変わりがなく、かつこの前工程である各層（電極層、画像表示層、透明電極層等）の形成との加工時間差が大きいので、別ラインで切断加工等を行なわざるを得ず、よって生産性に劣るという問題がまだ残り、さらにまた、上記不要部の除去に際し、電極部（７）の検知あるいは表面からの厚さをコントロールして電極部（７）面を破損させずに不要部を除去したとしても、前工程である各層の形成での各層のバラツキの管理が困難で、より電極層（１１ａ）を破損したりして不良品となるという問題があった。
【００１１】
【発明が解決しようとする課題】
本発明は、かかる従来技術の問題点を解決するものであり、その課題とするところは、曲面の場所や吊り下げて設置することが可能で、かつ設置場所が限定されず、情報提供の切り換えに人的労力を要しない薄く可撓性を有する情報表示媒体で、ウエブ状の薄く可撓性を有する情報表示媒体から多面付けで個別の製品とする製造に際し、全周の切断と周辺端部に付設される電極部の露出のための不要部除去に長時間を要することがなく、前工程である基材フィルム上に電極層や画像表示層等の形成とインラインでこれら切断等加工が可能で、かつ不要部の除去に際し、電極部が破損したりして不良品とならない薄く可撓性を有する情報表示媒体およびその製造方法を提供することにある。
【００１２】
【課題を解決するための手段】
本発明に於いて上記課題を達成するために、まず請求項１の発明では、基材フィルム上に、少なくとも電極層と、画像表示層とが設けられ、周辺端部に電極部を有する薄く可撓性を有する情報表示媒体であって、ウエブ状の基材フィルム上に、電極層が形成され、該電極層の周辺端部の電極部に相当する部分に易剥離層が形成され、該易剥離層を含めた全面に画像表示層が形成され、該画像表示層上に接着剤層を介してカバーフィルムが積層されていて、前記基材フィルム側から、電極部を含めた個別製品に分離すべき形状に全周にわたってハーフカットが接着剤層まで刻設されていることを特徴とする薄く可撓性を有する情報表示媒体としたものである。
【００１３】
上記請求項１の発明によれば、カバーフィルムを残し、基材フィルム側から電極部を含めた個別製品に分離すべき形状に全周にわたってハーフカットが接着剤層まで刻設され、周辺端部に付設されている電極部上に易剥離層が施されているので、その電極部の露出（不要部の除去）が、カバーフィルムを剥離することで容易に短時間でなされ、従来のようにレーザーやミーリングカット刃による不要部の除去と異なり、画像表示層等の厚さのバラツキに左右されないので、電極部の破損等による不良品がない薄く可撓性を有する情報表示媒体とすることができる。従って不要部の除去は、切断（分離）時に行う必要がないので、そのためのハーフカット加工は、前工程である電極層、画像表示層等の形成とインラインで行うことができ、生産性に優れた薄く可撓性を有する情報表示媒体とすることができる。
【００１４】
また、請求項２の発明では、前記易剥離層は、導電性を有する剥離剤で形成されていることを特徴とする請求項１記載の薄く可撓性を有する情報表示媒体としたものである。
【００１５】
上記請求項２の発明によれば、電極部上に設けられた易剥離層を、導電性を有するものとしてあるので、電極部が完全に露出されていなくとも電極部としての特性を持たせることができ、かつ電極部を保護する役目も持たせている薄く可撓性を有する情報表示媒体とすることができる。
【００１６】
また、請求項３の発明では、前記易剥離層と画像表示層との密着強度は、接着剤層とカバーフィルムとの密着強度より小さいことを特徴とする請求項１または２記載の薄く可撓性を有する情報表示媒体としたものである。
【００１７】
上記請求項３の発明によれば、易剥離層と画像表示層との密着強度が、接着剤層とカバーフィルムとの密着強度より小さいので、カバーフィルムを引っ張り上げることによって、電極部の露出のための不要部（電極部の上の画像表示層）の除去が、この部分での接着剤層部ではカバーフィルムが剥離されずに易剥離層部で剥離されて成されるような薄く可撓性を有する情報表示媒体とすることができる。
【００１８】
また、請求項４の発明では、基材フィルム上に、少なくとも電極層と、画像表示層とを設け、周辺端部に電極部を付設してなる薄く可撓性を有する情報表示媒体の製造方法であって、走行するウエブ状の基材フィルム上に、電極層を形成し、該電極層の周辺端部の電極部に相当する部分に易剥離層を形成し、さらに該易剥離層を含めた全面に画像表示層を形成し、該画像表示層上に接着剤層を介してカバーフィルムを積層せしめ、前記基材フィルム側から、電極部を含めた個別製品に分離すべき形状に全周にわたってハーフカットを接着剤層まで刻設することを特徴とする薄く可撓性を有する情報表示媒体の製造方法としたものである。
【００１９】
上記請求項４の発明によれば、カバーフィルムを残し、基材フィルム側から電極部を含めた個別製品に分離すべき形状に全周にわたってハーフカットを接着剤層まで刻設し、周辺端部の電極部上に易剥離層を施こすことによって、電極部の露出（不要部の除去）に、カバーフィルムを剥離することで容易に短時間でなされ、従来のようにレーザーやミーリングカット刃による不要部の除去と異なり、画像表示層等の厚さのバラツキに左右されないので、電極部の破損等による不良品とならない薄く可撓性を有する情報表示媒体の製造方法とすることができる。従ってこの不要部の除去を、切断（分離）時に行う必要がないので、そのためのハーフカット加工は、前工程である電極層、画像表示層等の形成とインラインで行うことができ、よって生産性に優れた薄く可撓性を有する情報表示媒体の製造方法とすることができる。
【００２０】
また、請求項５の発明では、前記易剥離層は、導電性を有する剥離剤で形成されてなることを特徴とする請求項４記載の薄く可撓性を有する情報表示媒体の製造方法としたものである。
【００２１】
上記請求項５の発明によれば、電極部上に設ける易剥離層を、導電性を有するものするので、電極部を完全に露出せずとも電極部としての特性を持たせることができ、かつハーフカット時および露出後に電極部を保護する役目も持たせる薄く可撓性を有する情報表示媒体の製造方法とすることができる。
【００２２】
また、請求項６の発明では、前記易剥離層と画像表示層との密着強度は、接着剤層とカバーフィルムとの密着強度より小さくすることを特徴とする請求項４または５記載の薄く可撓性を有する情報表示媒体の製造方法としたものである。
【００２３】
上記請求項６の発明によれば、易剥離層と画像表示層との密着強度を、接着剤層とカバーフィルムとの密着強度より小さくすることによって、カバーフィルムを引っ張り上げると、電極部の露出のための不要部（電極部の上の画像表示層）の除去が、この部分での接着剤層部ではカバーフィルムが剥離されずに易剥離層部で剥離されて成されるようになる薄く可撓性を有する情報表示媒体の製造方法とすることができる。
【００２４】
さらにまた、請求項７の発明では、前記個別の製品となる薄く可撓性を有する情報表示媒体は、ウエブ状の薄く可撓性を有する情報表示媒体の走行方向に、単列もしくは複数列に多面付けで形成することを特徴とする請求項４、５または６記載の薄く可撓性を有する情報表示媒体の製造方法としたものである。
【００２５】
上記請求項７の発明によれば、ウエブ状の薄く可撓性を有する情報表示媒体の走行方向に、単列もしくは複数列に多面付けで形成するので、高効率に個別の製品を生産可能にする薄く可撓性を有する情報表示媒体の製造方法とすることができる。
【００２６】
【発明の実施の形態】
以下本発明の実施の形態を図面を用いて詳細に説明する。
図１は、本発明の薄く可撓性を有する情報表示媒体の個別製品の一事例を示す説明図であり、図２から図８までは、本発明の薄く可撓性を有する情報表示媒体の製造方法に係る工程の一事例を示す説明図である。また図９〜図１１までは、本発明の薄く可撓性を有する情報表示媒体を構成する画像表示層の表示形態の一事例の説明図である。
【００２７】
本発明は、情報を表示せしめるための薄く可撓性を有する情報表示媒体およびその製造方法に関するものであり、例えば図１（ａ）の正面図およびそのＢ−Ｂ面を表す図１（ｂ）の側断面図に示すように、基材フィルム（１０）上に透明電極層（１２ａ）が施され、この上に画像表示層（１４）が電極部（７）を除いた部分に施され、この電極部（７）の上に導電性を有する易剥離層（１３）が施され、画像表示層（１４）の上に電極層（１１ａ）が施されている薄く可撓性を有する情報表示媒体（１）であり、さらに詳しくは連続するウエブ状の薄く可撓性を有する情報表示媒体に多面付けして個別の製品とするその製造方法に関するものである。
【００２８】
上記本発明の薄く可撓性を有する情報表示媒体の製造は、まず、図２（ａ）の平面図およびこのＢ−Ｂ面断面を表す図２（ｂ）の側断面図に示すように、例えば走行する広幅でウエブ状の基材フィルム（１０）の全面に透明電極層（１２ａ）を形成し、この透明電極層（１２ａ）の上で電極部（７）となる部分に導電性を有する易剥離層（１３）を部分塗布で、長手方向（Ｐ）に２列でなる多面付けで形成する。
【００２９】
続いて図３の側断面図に示すように、上記で得られた易剥離層（１３）を含め全面に画像表示層（１４）を形成し、図４の側断面図に示すように、この画像表示層（１４）上の全面に電極層（１１ａ）を施す。
【００３０】
続いて図５の側断面図に示すように、上記で得られた電極層（１１ａ）上に接着剤層（１５）を介してカバーフィルム（１６）を貼り合わせて、ウエブ状の薄く可撓性を有する情報表示媒体（２）を作製する。
【００３１】
上記で得られた広幅でウエブ状の薄く可撓性を有する情報表示媒体（２）を、例えば図６の平面図に示すように、長手方向（Ｐ）に２列でなる多面付けを単列とするため中央と幅方向の端縁をスリット線（Ｌ）でスリットする。
【００３２】
上記で単列にスリットされたウエブ状の薄く可撓性を有する情報表示媒体（２）を、図７（ａ）の基材フィルム側から見た平面図およびそのＢ−Ｂ面を表す図７（ｂ）の側断面図に示すように、例えば、基材フィルム（１０）側から、電極部（７）を含めた個別製品に分離すべき形状に全周にわたってハーフカット（ＨＣ）を接着剤層（１５）まで刻設し、個別製品が単列に多面付けされたウエブ状の薄く可撓性を有する情報表示媒体（２）とする。
【００３３】
上記でハーフカット加工されて得られたウエブ状の薄く可撓性を有する情報表示媒体（２）を個別製品とするには、例えば図８（ａ）および図８（ｂ）に示すように、カバーフィルム（１６）を引っ張りあげると、電極部（７）上にある易剥離層（１３）で、カバーフイルム（１６）に接着剤層（１５）を介して密着している電極層（１１ａ）と画像表示層（１４）でなる不要部分が剥離され、導電性を有する易剥離層（１３）に被覆された電極部（７）が露出され、この電極部（７）以外の部分では、接着剤層（１５）面からカバーフィルム（１６）が剥離されて、図１（ａ）、（ｂ）に示すような周辺端部に電極部（７）が露出した薄く可撓性を有する情報表示媒体（１）とすることができる。
【００３４】
上記易剥離層（１３）と画像表示層（１４）との密着強度を、接着剤層（１５）とカバーフィルム（１６）との密着強度より小さくしてあるので、電極部（７）上にある易剥離層（１３）で剥離し、その上にある接着剤層（１５）では剥離せず、それ以外の部分では、接着剤層（１５）面からカバーフィルム（１６）が剥離するようになっている。このため上記カバーフィルム（１６）の接着剤層（１５）側は、シリコン処理等で接着（あるいは粘着）の強度をある程度小さく調整しておく必要がある。
【００３５】
上記で得られた薄く可撓性を有する情報表示媒体（１）を壁や他の機器等に実装する時は、例えば図１に示すカバーフィルム（１６）を接着剤層（１５）面から剥離して、この接着剤層（１５）を壁や他の機器等に貼りつける等で成すことができる。
【００３６】
以下に本発明の薄く可撓性を有する情報表示媒体に係る材料等について説明する。
本発明に係る上記カバーフィルム（１６）としては、例えば厚さ２０μｍ程度の二軸延伸ポリエチレンテレフタレート（ＰＥＴ）、延伸ポリエチレン（ＯＰＥ）、二軸延伸ポリプロピレン（ＯＰＰ）、延伸ナイロン（ＯＮｙ）、アイオノマー（ＩＯ）等フィルムが挙げられるが、各種強度や扱い易さなどから二軸延伸ポリエチレンテレフタレートフィルムが好適に用いられる。
【００３７】
また、上記接着剤層（１５）としては、実装時等を考慮して、例えば感圧接着剤（粘着剤）や感熱接着剤が挙げられ、前者の感圧接着剤としては、例えばウレタン樹脂粘着剤が挙げられ、ポリオールとポリイソシアネートとをヘキサヒドロジメチルアニリン等の触媒の存在下に反応させてなるウレタンプレポリマーと、劣化防止剤とで構成されていて、このポリオールとしては、ポリエステルポリオール、ポリエーテルポリオール等が用いられ、また、上記ポリイソシアネートとしては、芳香族ポリイソシアネート、脂肪族ポリイソシアネートが挙げられ、その芳香族ポリポリイソシアネートとしては、例えばトリレンジイソシアネート、ジフェニルメタンジイソシアネート、ポリメチレンポリフェニレンポリイソシアネート、トリジンジイソシアネート、トリジンジイソシアネート、ナフタレンジイソシアネート等が用いられる。さらにまた、上記脂肪族ポリイソシアネートとしては、例えばヘキサメチレンジイソシアネート、イソホロンジイソシアネート、キシレンジイソシアネート、ジシクロヘキシルメタンジイソシアネート等が用いられる。
【００３８】
また、上記接着剤層（１５）とする後者の感熱接着剤としては、例えばヒートシール性に優れる樹脂としての直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等でなる厚さ５０μｍ程度のポリオレフィン系のフィルムが好適に用いられるが、これらポリオレフィン系の樹脂のみでは接着強度と剥離強度のバランスがとれないことがあるので、例えばこれらポリオレフィン系樹脂にさらにポリスチレンやポリブデン等からなるもので、このポリオレフィン系樹脂に対し不相溶性成分を混合したものとすることもでき、これら樹脂を溶融樹脂を押出して易剥離性の接着剤層（１５）とすることもできる。また、エチレン−酢酸ビニル共重合樹脂、エチレン−アクリル酸共重合樹脂等からなるホットメルト接着剤を塗布してもよい。
【００３９】
また、上記導電性を有する易剥離層（１３）としては、導電性フィラーが剥離ニスに分散しているインキがあり、この剥離ニスとしては、例えば、ポリウレタン／アクリル樹脂、ポリアミド樹脂、ニトロセルロース樹脂に添加剤としてシリコンやワックス（ポリエチレンワックス等）を５％以下添加したものが挙げられ、また導電性フィラーとしては、カーボンブラック、グラファイトあるいはＡｇ、Ｃｕ、Ｎｉ等金属粉末が挙げられ、この導電性インキによりスクリーン印刷法あるいはグラビア印刷法等で部分塗布して導電性を有する易剥離層（１３）とすることができる。さらにまた、例えば、バインダーである可撓性に優れたポリエステル樹脂に添加剤としてシリコンやワックス（ポリエチレンワックス等）を１０％以下添加したものに有機溶剤の存在下で上記導電性フィラーを分散した導電性ペーストが挙げられ、この導電性ペーストを用いてスクリーン印刷法等で部分塗布（印刷）して導電性を有する易剥離層（１３）とすることができる。
【００４０】
また、本発明の薄く可撓性を有する情報表示媒体（１）を構成する基材フィルム（１０）としては、上記カバーフィルム（１６）と略同様の材料で透明なフィルムが用いられ、各種強度や扱い易さなどから二軸延伸ポリエチレンテレフタレートフィルムが好適に用いられる。但し図１（ｂ）に示すような基材フィルム（１０）側から観察する薄く可撓性を有する情報表示媒体（１）の場合であって、例えば図示しないが透明電極がカバーフィルム側にあり、接着剤層を透明ガラス等に貼り合わせて使用する接着剤層側から観察する薄く可撓性を有する情報表示媒体の場合は、透明である必要がなく、逆に不透明で白色フィルムの方が好適で、あるいは白色の紙等であってもよい。
【００４１】
さらにまた、上記透明電極層（１２ａ）としては、例えばポリエチレンテレフタレート（ＰＥＴ）、ポリエチレンナフタレート（ＰＥＮ）、ポリイミド等の寸法安定性の優れ透明なプラスチックフィルムにアクティブマトリックス電極、セグメント電極、単純マトリックス電極が形成されている透明電極フィルムが用いられ、上記電極層（１１ａ）としては、例えば、ポリエチレンテレフタレート（ＰＥＴ）、ポリエチレンナフタレート（ＰＥＮ）、ポリイミド等の寸法安定性の優れたプラスチックフィルムに導電性層が形成されている電極フィルムが用いられる。
【００４２】
また、画像表示層（１４）としては、例えばエレクトロルミネセンス材料、ポリマー分散型液晶、強誘電性液晶、あるいはマイクロカプセル型電気泳動方式を用いた表示体等が挙げられ、これらを組み合わせて実現することができる。
【００４３】
上記マイクロカプセル型電気泳動方式を用いた表示体として図９の模式図に示すように、このマイクロカプセル（１１０）の一例として、例えばメタクリル酸樹脂、ユリア樹脂、アラビアゴム等をカプセル殻（１１１）とし、内部には酸化チタンからなる白の粒子（１１３）とカーボンブラックからなる黒の粒子（１１４）が、シリコーンオイル等の粘性の高い分散媒（１１２）に分散され封入されている。この白の粒子である酸化チタンは正電荷を帯びており、一方黒の粒子であるカーボンブラックは負電荷を帯びている。
【００４４】
このため、図１０の模式図に示すように、透明電極層（１２ａ）と電極層（１１ａ）に電界を印加し、透明電極層（１２ａ）が負極、電極層（１１ａ）が正極になった場合、正に帯電した白の粒子（１１３）が透明電極層（１２ａ）側に引かれ、黒の粒子（１１４）は電極層（１１ａ）側に引かれるので、透明電極層（１２ａ）側の上方から観察するとその部分が白く見える。
【００４５】
逆に透明電極層（１２ａ）が正極で、電極層（１１ａ）が負極になった場合、正に帯電した白の粒子（１１３）が電極層（１１ａ）側に引かれ、黒の粒子（１１４）は透明電極層（１２ａ）側に引かれるので、透明電極層（１２ａ）側の上方から観察するとその部分が黒く見えることになる。
【００４６】
上記画像表示層（１４）は、図１１の側断面模式図に示すように、このようなマイクロカプセル（１１０）を多数有しており、透明電極層（１２ａ）の各アドレス電極の電界を制御することで、所望の文字や図形を白と黒の画素として表示させることができる。
【００４７】
また、上記ハーフカット（ＨＣ）の連続的刻設は、レーザー光照射あるいはロータリーダイカッターが好適で、例えばレーザー光照射手段としては、図７（ｂ）に示すように、基材フィルム（１０）にレーザー光照射によってハーフカット（ＨＣ）が刻設されるものであれば、いずれのレーザー光でも使用可能であり、上記基材フィルム（１０）としての樹脂フィルムに対しては、炭酸ガスレーザーが通常使用される。またフィルムの材質によっては、ＹＡＧレーザー、エキシマレーザー、波長可変のダイレーザー等を用いることもできる。
【００４８】
また、ロータリーダイカッター手段としては、図７（ｂ）に示す基材フィルム（１０）側に、所定の形状にハーフカット（ＨＣ）を刻設するための刃を備えた雄胴と、その雄胴に対峙して動く雌胴を備えているロータリーダイカッターを用いて、ウエブ状の薄く可撓性を有する情報表示媒体（２）に連続的にハーフカット（ＨＣ）を施すことができる。
【００４９】
【発明の効果】
本発明は以上の構成であるから、下記に示す如き効果がある。
即ち、上記請求項１に係る発明において、基材フィルム上に、少なくとも電極層と、画像表示層とが設けられ、周辺端部に電極部を有する薄く可撓性を有する情報表示媒体であって、ウエブ状の基材フィルム上に、電極層が形成され、該電極層の周辺端部の電極部に相当する部分に易剥離層が形成され、該易剥離層を含めた全面に画像表示層が形成され、該画像表示層上に接着剤層を介してカバーフィルムが積層されていて、カバーフィルムを残し、基材フィルム側から電極部を含めた個別製品に分離すべき形状に全周にわたってハーフカットが接着剤層まで刻設され、電極部上に易剥離層が施されているので、電極部の露出（不要部の除去）が、カバーフィルムを剥離することで容易に短時間でなされ、従来のようにレーザーやミーリングカット刃による不要部の除去と異なり、画像表示層等の厚さのバラツキに左右されないので、電極部の破損等による不良品がない薄く可撓性を有する情報表示媒体とすることができる。従って不要部の除去は、切断（分離）時に行う必要がないので、そのためのハーフカット加工は、前工程である電極層、画像表示層等の形成とインラインで行うことができ、生産性に優れた薄く可撓性を有する情報表示媒体とすることができる。
【００５０】
また、上記請求項２に係る発明においては、電極部上に設けられた易剥離層を、導電性を有するものとしてあるので、電極部が完全に露出されていなくとも電極部としての特性を持たせることができ、かつハーフカット時および露出後に電極部を保護する役目も持たせている薄く可撓性を有する情報表示媒体とすることができる。
【００５１】
また、上記請求項３に係る発明においては、上記易剥離層と画像表示層との密着強度が、接着剤層とカバーフィルムとの密着強度より小さいので、カバーフィルムを引っ張り上げることによって、電極部の露出のための不要部（電極部の上の画像表示層）の除去が、この部分での接着剤層部ではカバーフィルムが剥離されずに易剥離層部で剥離されて成されるような薄く可撓性を有する情報表示媒体とすることができる。
【００５２】
また、上記請求項４に係る発明においては、基材フィルム上に、少なくとも電極層と、画像表示層とを設け、周辺端部に電極部を付設してなる薄く可撓性を有する情報表示媒体の製造方法であって、走行するウエブ状の基材フィルム上に、電極層を形成し、該電極層の周辺端部の電極部に相当する部分に易剥離層を形成し、さらに該易剥離層を含めた全面に画像表示層を形成し、該画像表示層上に接着剤層を介してカバーフィルムを積層せしめ、前記カバーフィルムを残し、基材フィルム側から、電極部を含めた個別製品に分離すべき形状に全周にわたってハーフカットを接着剤層まで刻設し、電極部上に易剥離層を施こすので、電極部の露出（不要部の除去）に、カバーフィルムを剥離することで容易に短時間でなされ、従来のようにレーザーやミーリングカット刃による不要部の除去と異なり、画像表示層等の厚さのバラツキに左右されないので、電極部の破損等による不良品とならない薄く可撓性を有する情報表示媒体の製造方法とすることができる。従ってこの不要部の除去を、切断（分離）時に行う必要がないので、そのためのハーフカット加工は、前工程である電極層、画像表示層等の形成とインラインで行うことができ、よって生産性に優れた薄く可撓性を有する情報表示媒体の製造方法とすることができる。
【００５３】
また、上記請求項５に係る発明においては、上記電極部上に設ける易剥離層を、導電性を有するものとするので、電極部を完全に露出せずとも電極部としての特性を持たせることができ、かつ電極部を保護する役目も持たせる薄く可撓性を有する情報表示媒体の製造方法とすることができる。
【００５４】
また、上記請求項６に係る発明においては、上記易剥離層と画像表示層との密着強度を、接着剤層とカバーフィルムとの密着強度より小さくすることによって、カバーフィルムを引っ張り上げると、電極部の露出のための不要部（電極部の上の画像表示層）の除去が、この部分での接着剤層部ではカバーフィルムが剥離されずに易剥離層部で剥離されて成されるようになる薄く可撓性を有する情報表示媒体の製造方法とすることができる。
【００５５】
さらにまた、上記請求項７に係る発明においては、ウエブ状の薄く可撓性を有する情報表示媒体の走行方向に、単列もしくは複数列に多面付けで形成するので、高効率に個別の製品を生産できる薄く可撓性を有する情報表示媒体の製造方法とすることができる。
【００５６】
従って本発明は、電車やバス等の中吊りや壁面、あるいは店舗、駅等掲示板に情報を表示せしめるための薄く可撓性を有する情報表示媒体およびその製造方法において、優れた実用上の効果を発揮する。
【図面の簡単な説明】
【図１】本発明の薄く可撓性を有する情報表示媒体の一実施の形態を示すもので、
（ａ）は、その平面図であり、
（ｂ）は、（ａ）のＢ−Ｂ面側断面図である。
【図２】本発明の薄く可撓性を有する情報表示媒体の一事例の製造工程の中の電極層と易剥離層の形成を説明するもので、
（ａ）は、その平面図であり、
（ｂ）は、（ａ）のＢ−Ｂ面側断面図である。
【図３】本発明の薄く可撓性を有する情報表示媒体の一事例の製造工程の中の画像表示層の形成を側断面で表した説明図である。
【図４】本発明の薄く可撓性を有する情報表示媒体の一事例の製造工程の中の透明電極層の形成を側断面で表した説明図である。
【図５】本発明の薄く可撓性を有する情報表示媒体の一事例の製造工程の中の接着剤層とカバーフィルムの形成を側断面で表した説明図である。
【図６】本発明の薄く可撓性を有する情報表示媒体の一事例の製造工程の中の広幅のウエブ状薄く可撓性を有する情報表示媒体にスリットする平面図である。
【図７】本発明の薄く可撓性を有する情報表示媒体の一事例の製造工程中のウエブ状の薄く可撓性を有する情報表示媒体に個別の製品とする基材フィルム側からの加工を説明するもので、
（ａ）は、その平面図であり、
（ｂ）は、（ａ）のＢ−Ｂ面断面図である。
【図８】本発明の薄く可撓性を有する情報表示媒体の一事例の製造工程中のウエブ状の薄く可撓性を有する情報表示媒体を個別の製品とする工程を説明するもので、
（ａ）は、剥離廃棄する部分の側断面図であり、
（ｂ）は、個別製品の側断面図であり、
【図９】本発明の薄く可撓性を有する情報表示媒体を構成する画像表示層の一事例を模式的に表した説明図である。
【図１０】本発明の薄く可撓性を有する情報表示媒体を構成する画像表示層の表示形態の一事例を模式的に表した斜視図である。
【図１１】本発明の薄く可撓性を有する情報表示媒体を構成する画像表示層の表示形態の一事例を模式的に表した側断面図である。
【図１２】従来の薄く可撓性を有する情報表示媒体の製造の一事例を説明するもので、
（ａ）は、その平面図であり、
（ｂ）は、側断面図である。
【符号の説明】
１‥‥薄く可撓性を有する情報表示媒体
２‥‥面付けされたウエブ状の薄く可撓性を有する情報表示媒体
５‥‥基材
７‥‥電極部
１０‥‥基材フィルム
１１ａ‥‥電極層
１２ａ‥‥透明電極層
１３‥‥易剥離層
１４‥‥画像表示層
１５‥‥接着剤層
１６‥‥カバーフィルム
１７‥‥保護層
１１０‥‥マイクロカプセル
１１１‥‥カプセル殻
１１２‥‥分散媒
１１３‥‥白の粒子
１１４‥‥黒の粒子
Ｌ‥‥スリット線
ＡＬ‥‥全周にわたる切断線
ＨＣ‥‥ハーフカット
Ｐ‥‥長手方向
【図１】
0003966078.tif 000002
【図２】
0003966078.tif 000003
【図３】
0003966078.tif 000004
【図４】
0003966078.tif 000005
【図５】
0003966078.tif 000006
【図６】
0003966078.tif 000007
【図７】
0003966078.tif 000008
【図８】
0003966078.tif 000009
【図９】
0003966078.tif 000010
【図１０】
0003966078.tif 000011
【図１１】
0003966078.tif 000012
【図１２】
0003966078.tif 000013